(57)【要約】【課題】  記録媒体再生装置において、記録媒体の再生中に携帯電話機の着信があったとき、再生動作を一時停止させる。【解決手段】  記録媒体再生装置において、記録媒体を再生する記録媒体再生部と、携帯電話機の着信音又は着信振動を検出し当該着信音又は着信振動に対応する着信情報を出力する検出部と、予め携帯電話機の着信情報を記憶する記憶部と、検出部が検出した着信情報を記憶部が記憶した着信情報と比較して一致したとき着信であると判別する判別部と、記録媒体再生部が記録媒体を再生しているとき判別部が着信であると判別した場合、記録媒体再生部の再生動作を一時停止させる制御部を備えた。【選択図】      図１
2008077776.tif 000002
【特許請求の範囲】
【請求項１】
記録媒体を再生する記録媒体再生部と、携帯電話機の着信音又は着信振動を検出し当該着信音又は着信振動に対応する着信情報を出力する検出部と、予め携帯電話機の着信情報を記憶する記憶部と、前記検出部が検出した着信情報を前記記憶部が記憶した着信情報と比較して一致したとき着信であると判別する判別部と、前記記録媒体再生部が記録媒体を再生しているとき前記判別部が着信であると判別した場合、前記記録媒体再生部の再生動作を一時停止させる制御部とを備えたことを特徴とする記録媒体再生装置。
【請求項２】
記録媒体を再生する記録媒体再生部と、携帯電話機の着信音又は着信振動を検出し当該着信音又は着信振動に対応する着信情報を出力する検出部と、予め携帯電話機の着信情報を記憶する記憶部と、前記検出部が検出した着信情報を前記記憶部が記憶した着信情報と比較して一致し予め定められた以上の時間継続したとき着信であると判別する判別部と、前記記録媒体再生部が記録媒体を再生しているとき前記判別部が着信であると判別した場合、前記記録媒体再生部の再生動作を一時停止させる制御部とを備えたことを特徴とする記録媒体再生装置。
【請求項３】
記録媒体を再生する記録媒体再生部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したとき前記記録媒体再生部を一時停止させるか否かを示す指示値を記憶する記憶部と、前記検出部が検出した着信情報を前記記憶部が記憶した着情報と比較して一致する着信情報があったとき着信であると判別する判別部と、前記記録媒体再生部が記録媒体を再生しているとき前記判別部が着信であると判別したとき前記検出部が出力した着信情報の種類に対応付けて前記記憶部に記録媒体再生部を一時停止させることを示す指示値が記憶されていた場合、前記記録媒体再生部の再生動作を一時停止させる制御部とを備えたことを特徴とする記録媒体再生装置。
【請求項４】
記録媒体を再生する記録媒体再生部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したとき前記記録媒体再生部を一時停止させるか否かを示す指示値を記憶する記憶部と、前記検出部が検出した着信情報を前記記憶部が記憶した着信情報と比較して一致し予め定められた以上の時間継続したとき着信であると判別する判別部と、前記記録媒体再生部が記録媒体を再生しているとき前記判別部が着信であると判別したとき前記検出部が検出した着信情報の種類に対応付けて前記記憶部に記録媒体再生部を一時停止させることを示す指示値が記憶されていた場合、前記記録媒体再生部の再生動作を一時停止させる制御部とを備えたことを特徴とする記録媒体再生装置。
【発明の詳細な説明】
【技術分野】
【０００１】
本発明は、ビデオ信号又はオーディオ信号が記録されたＤＶＤ(Digital Versatile Disc)等の記録媒体を再生する記録媒体再生装置に関する。
【背景技術】
【０００２】
ＤＶＤプレーヤ等の記録媒体再生装置の使用者が、ビデオ信号又はオーディオ信号が記録されたＤＶＤ等の記録媒体を再生して視聴しているときに電話の着信があった場合、通話するために、記録媒体再生装置を手動操作してＤＶＤ等の再生動作を一時停止させることがあった。
このような手動操作を自動的に行うため、電話の呼び出し中及び通話期間中に、自動的にハードディスク等の記録再生を一時停止させる記録再生装置があった（特許文献１参照）。
【０００３】
【特許文献１】特開２００２−３３５４７９号公報
【発明の開示】
【発明が解決しようとする課題】
【０００４】
特許文献１に記載の装置は、携帯電話機又はＰＨＳ(Personal Handyphone System)通話端末機の着信を知らせるために使用される着信メロディー等の着信音、又は着信振動を検出する機能を備えていなかったため、携帯電話機又はＰＨＳ通話端末機の着信に対応して自動的に記録再生を一時停止させることができなかった。
本発明の目的は、記録媒体再生装置において、携帯電話機又はＰＨＳ通話端末機の着信メロディー等の着信音、又は着信振動を検出することによって着信を判別し、再生動作を一時停止できるようにした装置を提供することにある。
【課題を解決するための手段】
【０００５】
本発明の請求項１に記載の記録媒体再生装置は、記録媒体を再生する記録媒体再生部と、携帯電話機の着信音又は着信振動を検出し当該着信音又は着信振動に対応する着信情報を出力する検出部と、予め携帯電話機の着信情報を記憶する記憶部と、前記検出部が検出した着信情報を前記記憶部が記憶した着信情報と比較して一致したとき着信であると判別する判別部と、前記記録媒体再生部が記録媒体を再生しているとき前記判別部が着信であると判別した場合、前記記録媒体再生部の再生動作を一時停止させる制御部とを備えたものである。
【０００６】
本発明の請求項２に記載の記録媒体再生装置は、記録媒体を再生する記録媒体再生部と、携帯電話機の着信音又は着信振動を検出し当該着信音又は着信振動に対応する着信情報を出力する検出部と、予め携帯電話機の着信情報を記憶する記憶部と、前記検出部が検出した着信情報を前記記憶部が記憶した着信情報と比較して一致し予め定められた以上の時間継続したとき着信であると判別する判別部と、前記記録媒体再生部が記録媒体を再生しているとき前記判別部が着信であると判別した場合、前記記録媒体再生部の再生動作を一時停止させる制御部とを備えたものである。
【０００７】
本発明の請求項３に記載の記録媒体再生装置は、記録媒体を再生する記録媒体再生部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したとき前記記録媒体再生部を一時停止させるか否かを示す指示値を記憶する記憶部と、前記検出部が検出した着信情報を前記記憶部が記憶した着情報と比較して一致する着信情報があったとき着信であると判別する判別部と、前記記録媒体再生部が記録媒体を再生しているとき前記判別部が着信であると判別したとき前記検出部が出力した着信情報の種類に対応付けて前記記憶部に記録媒体再生部を一時停止させることを示す指示値が記憶されていた場合、前記記録媒体再生部の再生動作を一時停止させる制御部とを備えたものである。
【０００８】
本発明の請求項４に記載の記録媒体再生装置は、記録媒体を再生する記録媒体再生部と、携帯電話機の着信音又は着信振動を検出し当該着信音又は着信振動に対応する着信情報を出力する検出部と、予め携帯電話機の複数種類の着信音又は着信振動に対応する着信情報を記憶し着信情報の種類毎に着信したとき前記記録媒体再生部を一時停止させるか否かを示す指示値を記憶する記憶部と、前記検出部が検出した着信情報を前記記憶部が記憶した着信情報と比較して一致し予め定められた以上の時間継続したとき着信であると判別する判別部と、前記記録媒体再生部が記録媒体を再生しているとき前記判別部が着信であると判別したとき前記検出部が検出した着信情報の種類に対応付けて前記記憶部に記録媒体再生部を一時停止させることを示す指示値が記憶されていた場合、前記記録媒体再生部の再生動作を一時停止させる制御部とを備えたものである。
【発明の効果】
【０００９】
本発明の記録媒体再生装置によれば、記録媒体を再生しているときに携帯電話機又はＰＨＳ通話端末機の着信メロディー等の着信音、又は着信振動を検出し、再生動作を一時停止させることができる。
【発明を実施するための最良の形態】
【００１０】
図１は、本発明の記録媒体再生装置の第１の実施例の構成を示すブロック図である。
ディスク再生部１は、ビデオ信号、オーディオ信号が記録されたＤＶＤを再生する。メモリ部２は、ディスク再生部１が再生したビデオ信号、オーディオ信号を記憶する。オーディオ復調部３は、メモリ部２が記憶したオーディオ信号を読み出し、ＤＶＤに記録されるとき変調されていたオーディオ信号を復調して、オーディオ出力端子３ａを介して、オーディオ出力端子３ａに接続された図示しない外部のアンプ、スピーカ等に出力する。ビデオ復調部４は、メモリ部２が記憶したビデオ信号を読み出し、ＤＶＤに記録されるとき変調されていたビデオ信号を復調して、ビデオ出力端子４ａを介して、ビデオ出力端子４ａに接続された図示しない外部の表示装置等に出力する。
【００１１】
着信音・着信振動検出部５は、携帯電話機の着信音又は着信振動を検出し、検出した着信音又は着信振動に対応する着信情報を出力する。Ａ／Ｄ(Analog/Digital)変換部６は、着信音・着信振動検出部５が出力した着信情報をアナログ信号からディジタル信号に変換し、メモリ部７又は比較部８に出力先を切り換えて出力する。メモリ部７は、Ａ／Ｄ変換部６がディジタル信号として出力した着信情報を記憶する。比較部８は、Ａ／Ｄ変換部６がディジタル信号として出力した着信情報とメモリ部７が予め記憶した着信情報とを比較する。
【００１２】
ＣＰＵ９は、ディスク再生部１を制御する。ＣＰＵ９は、判別部９ａ、継続時間設定部９ｂを備える。継続時間設定部９ｂは、判別部９ａが携帯電話機の着信ありと判別するための着信継続時間を設定する。判別部９ａは、比較部８が比較した結果、メモリ部７に記憶された着信情報とＡ／Ｄ変換部６が比較部８に直接出力した着信情報とが一致し、着信情報が継続時間設定部９ｂに予め設定された継続時間(例えば５秒)以上継続したとき、携帯電話機に着信があったと判別する。操作部１０は、ディスク再生部１の操作信号、及び継続時間設定部９ｂの設定値を、ＣＰＵ９に入力する。
【００１３】
間違い電話が着信したときには、発信者が間違い電話をかけたことに気づき短時間で切られ終了する場合が多い。記録媒体再生装置の使用者が、記録媒体からビデオ信号及びオーディオ信号を再生して視聴しているときに、短時間で着信が終了される間違い電話等によって当該視聴が中断されることは、記録媒体再生装置の使用者にとって迷惑となる場合がある。そこで、着信の継続時間が、予め設定された継続時間未満である場合、着信なしと判別することにより、短時間で終了される間違い電話等のために、記録媒体再生装置の使用者が視聴を中断されることを抑止することができる。
【００１４】
ディスク再生部１がディスクを再生しているとき、判別部９ａが携帯電話機の着信ありと判別すると、ＣＰＵ９は、ディスク再生部１の再生動作を一時停止させる。
携帯電話機の着信情報をメモリ部７に記憶させるには、操作部１０を操作しＣＰＵ９の制御によってメモリ部７に着信情報を記憶する動作状態に切り換え、携帯電話機を操作して着信音又は着信振動を出力させ着信音・着信振動検出部５に着信音又は着信振動を入力する。着信音・着信振動検出部５から出力される着信情報は、Ａ／Ｄ変換部６を介して、メモリ部７に入力され、メモリ部７は当該着信情報を記憶する。
【００１５】
着信音・着信振動検出部５は、着信情報として、着信音又は着信振動の共振周波数を出力する。メモリ部７は、着信情報として、着信音又は着信振動の共振周波数を記憶する。そして、比較部８は、着信音・着信振動検出部５が出力しＡ／Ｄ変換部６がディジタル信号として出力した着信音又は着信振動の共振周波数と、メモリ部７に記憶した着信音又は着信振動の共振周波数とを比較する。
上述の、携帯電話機の着信メロディー等の着信音又はマナーモードで用いられるバイブレーション等の着信振動をメモリ部７に記憶させる操作において、ビデオ出力端子４ａに接続された外部の表示装置に表示されるＯＳＤ(On Screen Display)画面の初期設定項目として表示し入力操作を可能とするメニュー機能を持たせて実施することもできる。
【００１６】
図２は、本発明の着信音・着信振動検出部を構成する携帯電話機ホルダの一実施例を示す図である。
携帯電話機ホルダ１２は上部から携帯電話機１１を収納し携帯電話機１１を立てた状態で保持する。携帯電話機ホルダ１２は、その内側に、携帯電話機１１の着信音又は着信振動を発する場所に接触するコンタクトマイク１３を備える。コンタクトマイク１３は、携帯電話機１１の着信音又は着信振動を検出する。コンタクトマイク１３が検出することができる周波数特性は、50Hz〜5kHz程度であるので、通常の着信音又は着信振動を検出することができる。コンタクトマイク１３は、携帯電話機１１に直接接触するので、周囲の騒音が大きい場合でも、確実に着信音又は着信振動を検出することができる。
【００１７】
携帯電話機ホルダ１２は、その内側に、スペーサ１４、１５、１６を備える。スペーサ１４、１５、１６は、携帯電話機１１の収納位置を規制し、コンタクトマイク１３の取付位置を確保する。コンタクトマイク１３が検出した着信音又は着信振動の共振周波数が、図示しない共振周波数検出回路によって検出される。ケーブル１７は、共振周波数検出回路が検出した共振周波数を示す情報信号を、着信情報としてＡ／Ｄ変換部６に伝送する。
【００１８】
図３は、本発明の記録媒体再生装置の第２の実施例の構成を示すブロック図である。図３の記録媒体再生装置は、図１の記録媒体再生装置のメモリ部７に着信情報及び指示値記憶部７ａを設けた構成である。図３の記録媒体再生装置において、図１の記録媒体再生装置と共通の構成部には同符号を付して説明を省略する。
【００１９】
着信情報及び指示値記憶部７ａは、着信音・着信振動検出部５が出力しＡ／Ｄ変換部６を介して入力される着信情報の種類毎に、前記記録媒体再生部１を一時停止させるか否かを示す指示値を対応付けて、記憶する。記録媒体再生部１を一時停止させるか否かを示す指示値は、例えば、一時停止させる場合は、指示値＝１とし、一時停止させない場合は、指示値＝０とする。
判別部９ａは、ディスク再生部１がディスクを再生しているとき、携帯電話機の着信ありと判別すると、着信情報及び指示値記憶部７ａから着信情報の種類及び指示値を読み出し、当該指示値に応じて、指示値＝１であれば、ディスク再生部１の再生動作を一時停止させ、指示値＝０であれば、ディスク再生部１の再生動作をそのまま続行させる。
このようにして、携帯電話機の着信があったとき、着信メロディーの種類、着信振動の断続パターン等によって、ディスク再生部１の再生動作を制御することができる。
【００２０】
本実施例において、ＤＶＤを再生する構成として説明したが、本発明は、ＤＶＤに限ることなく、他の記録媒体、例えば、ＣＤ(Compact Disc)、ビデオテープ等を再生する構成として実施することもできる。
【図面の簡単な説明】
【００２１】
【図１】本発明の記録媒体再生装置の第１の実施例の構成を示すブロック図である。
【図２】本発明の着信音・着信振動検出部を構成する携帯電話機ホルダの一実施例を示す図である。
【図３】本発明の記録媒体再生装置の第２の実施例の構成を示すブロック図である。
【符号の説明】
【００２２】
１  ディスク再生部
２、７  メモリ部
３  オーディオ復調部
３ａ  オーディオ出力端子
４  ビデオ復調部
４ａ  ビデオ出力端子
５  着信音検出部
６  Ａ／Ｄ変換部
８  比較部
９  ＣＰＵ
９ａ  判別部
９ｂ  継続時間設定部
１０  操作部
１１  携帯電話機
１２  携帯電話機ホルダ
１３  コンタクトマイク
１４、１５，１６  スペーサ
１７  ケーブル
【図１】
2008077776.tif 000003
【図２】
2008077776.tif 000004
【図３】
2008077776.tif 000005